(57)【要約】【課題】液晶を挟持する一対の基板のうち一方の基板に、画素容量を構成する画素電極および共通電極を備える液晶装置において、表示品位の低下を抑制できる液晶装置、液晶装置の駆動回路、液晶装置の駆動方法、および液晶装置を備える電子機器を提供すること。【解決手段】液晶装置１は、電圧ＶＣＯＭＬおよび電圧ＶＣＯＭＨを交互に共通電極５６に供給する制御回路３０と、走査線Ｙを選択する選択電圧を複数の走査線Ｙに順次供給する走査線駆動回路１０と、走査線Ｙが選択された際に、電圧ＶＣＯＭＬよりも電位の高い正極性の画像信号と、電圧ＶＣＯＭＨよりも電位の低い負極性の画像信号と、を交互に複数のデータ線Ｘに供給するデータ線駆動回路２０と、を備える。【選択図】図１
2008033247.tif 000002
【特許請求の範囲】
【請求項１】
第１の基板と、第２の基板と、前記第１の基板と第２の基板との間に設けられた液晶と、を備える液晶装置であって、
前記第１の基板に設けられた複数の走査線と、
前記第１の基板に設けられた複数のデータ線と、
前記複数の走査線と前記複数のデータ線との交差に対応して設けられた複数のスイッチング素子と、
前記複数のスイッチング素子に接続される複数の画素電極と、
前記画素電極に対応して設けられた共通電極と、
第１電圧と、当該第１電圧よりも電位の高い第２電圧と、を交互に前記共通電極に供給する制御回路と、
前記第１電圧よりも電位の高い正極性の画像信号と、前記第２電圧よりも電位の低い負極性の画像信号と、を交互に前記複数のデータ線に供給するデータ線駆動回路と、を備えてなることを特徴とする液晶装置。
【請求項２】
請求項１に記載の液晶装置において、
前記共通電極が前記第１の基板に形成されてなることを特徴とする液晶装置。
【請求項３】
請求項１に記載の液晶装置において、
前記共通電極は複数に分割されており、複数に分割されたうちの一の前記共通電極に前記第１の電圧及び前記第２電圧のいずれか一方の電圧が供給される期間に、他の一の前記共通電極には他方の電圧が供給されるよう構成されてなることを特徴とする液晶装置。
【請求項４】
請求項３に記載の液晶装置において、
前記共通電極は、一水平ライン毎に分割されてなることを特徴とする液晶装置。
【請求項５】
請求項１に記載の液晶装置において、
前記制御回路は、前記第１電圧または前記第２電圧のいずれかを選択する極性信号が供給される単位制御回路を備えてなり、
前記単位制御回路は、
前記極性信号を保持するラッチ回路と、
前記ラッチ回路により保持した前記極性信号に応じて、前記第１電圧または前記第２電圧のいずれかを選択的に出力する選択回路と、を備えることを特徴とする液晶装置。
【請求項６】
複数の走査線と、複数のデータ線と、前記複数の走査線と前記複数のデータ線との交差に対応して設けられた複数のスイッチング素子と、前記複数のスイッチング素子に接続される複数の画素電極と、前記画素電極に対応して設けた共通電極と、を備える液晶装置を駆動する方法であって、
第１電圧と、当該第１電圧よりも電位の高い第２電圧と、を交互に前記共通電極に供給する手順と、
前記第１電圧よりも電位の高い正極性の画像信号と、前記第２電圧よりも電位の低い負極性の画像信号と、を交互に前記複数のデータ線に供給する手順と、を含み、
前記第１電圧を前記共通電極に供給した後に、前記正極性の画像信号を前記データ線に供給する正極性書込手順と、
前記第２電圧を前記共通電極に供給した後に、前記負極性の画像信号を前記データ線に供給する負極性書込手順と、を備えることを特徴とする液晶装置の駆動方法。
【請求項７】
請求項６に記載の液晶装置を駆動する方法であって、
前記共通電極が複数に分割されており、
複数に分割された共通電極のうち一の共通電極に前記第１電圧及び前記第２電圧のうちの一方の電圧が供給されている間、他の一の共通電極には他の電圧が供給されることを特徴とする液晶装置の駆動方法。
【請求項８】
第１の基板と、第２の基板と、前記第１の基板と第２の基板との間に設けられた液晶と、を備える液晶装置であって、
前記第１の基板に設けられた複数の走査線と、
前記第１の基板に設けられた複数のデータ線と、
前記複数の走査線と前記複数のデータ線との交差に対応して設けられる複数のスイッチング素子と、
前記複数のスイッチング素子に接続された複数の画素電極と、
前記第１の基板に設けられ、分割して形成された複数の共通電極と、を備えることを特徴とする液晶装置。
【請求項９】
請求項８に記載の液晶装置であって、
前記共通電極が少なくとも一水平ライン毎に分割されてなることを特徴とする液晶装置。
【請求項１０】
請求項８に記載の液晶装置であって、
複数に分割されたうちの一つの前記共通電極に前記第１の電圧及び前記第１電圧よりも電位の高い第２電圧のいずれか一方の電圧が供給される期間に、他の一の前記共通電極には他方の電圧が供給されるよう構成されてなることを特徴とする液晶装置。
【請求項１１】
請求項１０に記載の液晶装置であって、
複数に分割された各前記共通電極に第１の電圧及び前記第１電圧及び第２の電圧を交互に供給されるよう構成されてなることを特徴とする液晶装置。
【請求項１２】
請求項８に記載の液晶装置であって、
前記画素電極と、前記共通電極との間に絶縁膜を更に備えるとともに、容量が形成されてなることを特徴とする液晶装置。
【請求項１３】
請求項８に記載の液晶装置であって、
前記第１の基板と前記画素電極、又は前記共通電極との間に第２の絶縁膜を更に備えることを特徴とする液晶装置。
【請求項１４】
請求項８に記載の液晶装置であって、
前記共通電極に電気的に接続される補助共通線を備えてなることを特徴とする液晶装置。
【請求項１５】
請求項１に記載の液晶装置を備える電子機器。
【請求項１６】
請求項８に記載の液晶装置を備える電子機器。
【発明の詳細な説明】
【技術分野】
【０００１】
本発明は、液晶装置、液晶装置の駆動回路、液晶装置の駆動方法、および電子機器に関する。
【背景技術】
【０００２】
従来より、表示装置として液晶装置が知られている。この液晶装置は、例えば、液晶パネルと、この液晶パネルに光を供給するバックライトと、を備える。
【０００３】
液晶パネルは、素子基板と、この素子基板に対向配置された対向基板と、素子基板と対向基板との間に設けられた液晶と、を備える。
【０００４】
素子基板は、所定間隔おきに交互に設けられた複数の走査線および複数の容量線と、これら複数の走査線および複数の容量線に交差し所定間隔おきに設けられた複数のデータ線と、複数の走査線に接続された走査線駆動回路と、複数のデータ線に接続されたデータ線駆動回路と、複数の容量線に接続された容量線駆動回路と、を有する。
【０００５】
各走査線と各データ線との交差部分には、画素が設けられている。画素は、画素電極および共通電極からなる画素容量と、スイッチング素子としての薄膜トランジスタ（以降、ＴＦＴ（Thin Film Transistor）と呼ぶ）と、一方の電極が容量線に接続され他方の電極が画素電極に接続された蓄積容量と、を備える。この画素は、マトリクス状に複数配列されて表示領域を形成する。ＴＦＴのゲートには、走査線が接続され、ＴＦＴのソースには、データ線が接続され、ＴＦＴのドレインには、画素電極および蓄積容量の他方の電極が接続されている。
【０００６】
容量線駆動回路は、所定の電圧を各容量線に供給する。
【０００７】
走査線駆動回路は、走査線を選択する選択電圧を所定の順番で各走査線に供給する。走査線に選択電圧が供給されると、この走査線に接続されたＴＦＴが全てオン状態となる。
【０００８】
データ線駆動回路は、画像信号を各データ線に供給し、オン状態のＴＦＴを介して、この画像信号に基づく画像電圧を画素電極に書き込む。ここで、データ線駆動回路は、共通電極の電圧よりも電位の高い電圧（以降、正極性と呼ぶ）の画像信号をデータ線に供給して、この正極性の画像信号に基づく画像電圧を画素電極に書き込む正極性書込と、共通電極の電圧よりも電位の低い電圧（以降、負極性と呼ぶ）の画像信号をデータ線に供給して、この負極性の画像信号に基づく画像電圧を画素電極に書き込む負極性書込と、を交互に行う。
【０００９】
対向基板は、各画素に対応して、Ｒ（赤）、Ｇ（緑）、Ｂ（青）といったカラーフィルタを有する。
【００１０】
以上の液晶装置は、以下のように動作する。
すなわち、走査線に選択電圧を順次供給することで、ある走査線に接続されたＴＦＴを全てオン状態にして、この走査線に係る画素を全て選択する。そして、これら画素の選択に同期して、データ線に画像信号を供給する。すると、選択した全ての画素に、オン状態のＴＦＴを介して画像信号が供給され、この画像信号に基づく画像電圧が画素電極に書き込まれる。
【００１１】
画素電極に画像電圧が書き込まれると、画素電極と共通電極との電位差により、液晶に駆動電圧が印加される。液晶に駆動電圧が印加されると、液晶の配向や秩序が変化して、液晶を透過するバックライトからの光が変化する。この変化した光がカラーフィルタを透過することで、階調表示が行われる。なお、液晶に印加される駆動電圧は、蓄積容量により、画像電圧が書き込まれる期間よりも３桁も長い期間に亘って保持される。
【００１２】
ところで、以上のような液晶装置は、例えば、携帯機器に用いられるが、この携帯機器では、近年、消費電力の低減が要請されている。そこで、画像電圧を画素電極に書き込んだ後に、ＴＦＴをオフ状態にするとともに容量線の電圧を変動させることで、消費電力を低減できる液晶装置が提案されている（例えば、特許文献１参照）。
【００１３】
特許文献１のような容量線の電圧を変動させる液晶装置の動作について、図１２、１３を用いて説明する。図１２は、従来例に係る液晶装置の正極性書込時のタイミングチャートである。図１３は、従来例に係る液晶装置の負極性書込時のタイミングチャートである。ここで、例えば、従来例に係る液晶装置は、３２０行の走査線および容量線と、２４０列のデータ線と、を有するものとする。図１２、１３において、ＧＡＴＥ（ｍ）は、３２０行の走査線のうちｍ行目（ｍは、１≦ｍ≦３２０を満たす整数）の走査線の電圧であり、ＶＳＴ（ｍ）は、３２０行の容量線のうちｍ行目の容量線の電圧である。また、ＳＯＵＲＣＥ（ｎ）は、２４０列のデータ線のうちｎ列目（ｎは、１≦ｎ≦２４０を満たす整数）のデータ線の電圧である。また、ＰＩＸ（ｍ、ｎ）は、ｍ行目の走査線と、ｎ列目のデータ線と、の交差に対応して設けられたｍ行ｎ列目の画素が備える画素電極の電圧であり、ＶＣＯＭ（ｍ）は、ｍ行ｎ列目の画素が備える共通電極の電圧である。
【００１４】
まず、従来例に係る液晶装置の正極性書込時について、図１２を用いて説明する。時刻ｔ５１において、走査線駆動回路により、ｍ行目の走査線に選択電圧を供給する。すると、ｍ行目の走査線の電圧ＧＡＴＥ（ｍ）は、上昇して、時刻ｔ５２では、電圧ＶＧＨとなる。これにより、ｍ行目の走査線に接続されたＴＦＴが全てオン状態となる。
【００１５】
時刻ｔ５３において、データ線駆動回路により、ｎ列目のデータ線に正極性の画像信号を供給する。すると、ｎ列目のデータ線の電圧ＳＯＵＲＣＥ（ｎ）は、徐々に上昇して、時刻ｔ５４では、電圧ＶＰ８となる。ｎ列目のデータ線の電圧ＳＯＵＲＣＥ（ｎ）は、正極性の画像信号に基づく画像電圧として、ｍ行目の走査線に接続されたオン状態のＴＦＴ５１を介して、ｍ行ｎ列目の画素が備える画素電極に書き込まれる。このため、ｍ行ｎ列目の画素が備える画素電極の電圧ＰＩＸ（ｍ、ｎ）は、徐々に上昇して、時刻ｔ５４では、ｎ列目のデータ線の電圧ＳＯＵＲＣＥ（ｎ）と同電位である電圧ＶＰ８となる。
【００１６】
時刻ｔ５５において、走査線駆動回路により、ｍ行目の走査線に選択電圧を供給するのを停止する。すると、ｍ行目の走査線の電圧ＧＡＴＥ（ｍ）は、低下して、時刻ｔ５６では、電圧ＶＧＬとなる。これにより、ｍ行目の走査線に接続されたＴＦＴ５１が全てオフ状態となる。同時に、容量線駆動回路により、容量線の電圧を上昇させる電圧をｍ行目の容量線に供給する。すると、ｍ行目の容量線の電圧ＶＳＴ（ｍ）は、徐々に上昇して、時刻ｔ５７では、電圧ＶＳＴＨとなる。ｍ行目の容量線の電圧ＶＳＴ（ｍ）が上昇すると、ｍ行目の容量線に係る全ての画素では、この上昇した分に相当する電荷が蓄積容量と画素容量との間で分配される。このため、ｍ行ｎ列目の画素が備える画素電極の電圧ＰＩＸ（ｍ、ｎ）は、徐々に上昇して、時刻ｔ５７では、電圧ＶＰ９となる。
【００１７】
次に、従来例に係る液晶装置の負極性書込時について、図１３を用いて説明する。時刻ｔ６１において、走査線駆動回路により、ｍ行目の走査線に選択電圧を供給する。すると、ｍ行目の走査線の電圧ＧＡＴＥ（ｍ）は、上昇して、時刻ｔ６２では、電圧ＶＧＨとなる。これにより、ｍ行目の走査線に接続されたＴＦＴが全てオン状態となる。
【００１８】
時刻ｔ６３において、データ線駆動回路により、ｎ列目のデータ線に負極性の画像信号を供給する。すると、ｎ列目のデータ線の電圧ＳＯＵＲＣＥ（ｎ）は、徐々に低下して、時刻ｔ６４では、電圧ＶＰ１１となる。ｎ列目のデータ線の電圧ＳＯＵＲＣＥ（ｎ）は、負極性の画像信号に基づく画像電圧として、ｍ行目の走査線に接続されたオン状態のＴＦＴを介して、ｍ行ｎ列目の画素が備える画素電極に書き込まれる。このため、ｍ行ｎ列目の画素が備える画素電極の電圧ＰＩＸ（ｍ、ｎ）は、徐々に低下して、時刻ｔ６４では、ｎ列目のデータ線の電圧ＳＯＵＲＣＥ（ｎ）と同電位である電圧ＶＰ１１となる。
【００１９】
時刻ｔ６５において、走査線駆動回路により、ｍ行目の走査線に選択電圧を供給するのを停止する。すると、ｍ行目の走査線の電圧ＧＡＴＥ（ｍ）は、低下して、時刻ｔ６６では、電圧ＶＧＬとなる。これにより、ｍ行目の走査線に接続されたＴＦＴが全てオフ状態となる。同時に、容量線駆動回路により、容量線の電圧を低下させる電圧をｍ行目の容量線に供給する。すると、ｍ行目の容量線の電圧ＶＳＴ（ｍ）は、徐々に低下して、時刻ｔ６７では、電圧ＶＳＴＬとなる。ｍ行目の容量線の電圧ＶＳＴ（ｍ）が低下すると、ｍ行目の容量線に係る全ての画素では、この低下した分に相当する電荷が蓄積容量と画素容量との間で分配される。このため、ｍ行ｎ列目の画素が備える画素電極の電圧ＰＩＸ（ｍ、ｎ）は、徐々に低下して、時刻ｔ６７では、電圧ＶＰ１０となる。
【００２０】
以上のように、従来例に係る液晶装置では、正極性書込時において、正極性の画像電圧を画素電極に書き込んだ後に、容量線の電圧を上昇させる。このため、画素電極の電圧は、正極性の画像電圧により上昇した電圧と、容量線の電圧を上昇させた分に相当する電荷により上昇した電圧と、を合わせた分だけ上昇する。また、従来例に係る液晶装置では、負極性書込において、負極性の画像電圧を画素電極に書き込んだ後に、容量線の電圧を低下させる。このため、画素電極の電圧は、負極性の画像電圧により低下した電圧と、容量線の電圧を低下させた分に相当する電荷により低下した電圧と、を合わせた分だけ低下する。
【００２１】
したがって、容量線の電圧を変動させることで、共通電極の電圧を基準として画素電極の電圧を変動させて、液晶に印加される駆動電圧の振幅を大きくできる。よって、画像電圧の振幅を小さくしても、液晶に印加される駆動電圧の振幅を確保できるので、画像電圧の振幅を小さくして、消費電力を低減できる。
【００２２】
【特許文献１】特開２００２−１９６３５８号公報
【発明の開示】
【発明が解決しようとする課題】
【００２３】
上述の従来例に係る液晶装置では、容量線の電圧を変動させて、蓄積容量と画素容量との間で電荷を移動させることで、画素電極の電圧を変動させる。このため、蓄積容量に特性ばらつきが発生すると、蓄積容量と画素容量との間で移動する電荷に影響を及ぼすので、画素電極に同一の画像電圧を書き込んでも、画素電極の電圧にばらつきが生じ、表示品位が低下する場合があった。
【００２４】
また、液晶を挟持する一対の基板のうち一方の基板に、画素容量を構成する画素電極および共通電極を備えるＩＰＳ（In-Plane Switching）やＦＦＳ（Fringe-Field Switching）といった液晶装置では、画素容量と蓄積容量とを一体に形成する。ところが、上述の従来例に係る液晶装置では、容量線の電圧を、画素電極や共通電極とは異なる電圧で変動させるので、容量線に接続された蓄積容量の一方の電極を、画素電極や共通電極とは別個に形成する必要がある。このため、画素容量と蓄積容量とを別個に形成する必要があるので、画素容量と蓄積容量とを一体に形成するＩＰＳやＦＦＳといった液晶装置では、上述の従来例に係る液晶装置を構成するのは困難であった。
【００２５】
そこで、本発明は、上述の課題に鑑みてなされたものであり、蓄積容量に特性ばらつきが発生しても、表示品位が低下しない液晶装置を提供することを目的とする。とくに、液晶を挟持する一対の基板のうち一方の基板に、画素容量を構成する画素電極および共通電極を備える液晶装置において、表示品位の低下を抑制できる液晶装置、液晶装置の駆動回路、液晶装置の駆動方法、および液晶装置を備える電子機器を提供することを目的とする。
【課題を解決するための手段】
【００２６】
本発明の液晶装置は、第１の基板と、第２の基板と、前記第１の基板と第２の基板との間に設けられた液晶と、を備える液晶装置であって、前記第１の基板に設けられた複数の走査線と、前記第１の基板に設けられた複数のデータ線と、前記複数の走査線と前記複数のデータ線との交差に対応して設けられた複数のスイッチング素子と、前記複数のスイッチング素子に接続された複数の画素電極と、前記画素電極に対応して共通電極と、第１電圧と当該第１電圧よりも電位の高い第２電圧と、を交互に前記共通電極に供給する制御回路と、前記第１電圧よりも電位の高い正極性の画像信号と、前記第２電圧よりも電位の低い負極性の画像信号と、を交互に前記複数のデータ線に供給するデータ線駆動回路と、を備えてなることを特徴とする。
【００２７】
具体的な制御例としては、制御回路により第１電圧を共通電極に供給した後に、選択電圧を走査線に供給し、データ線駆動回路により正極性の画像信号をデータ線に供給する。そして、制御回路により第２電圧を前記共通電極に供給した後に、選択電圧を走査線に供給するとともに、データ線駆動回路により負極性の画像信号をデータ線に供給すればよい。
【００２８】
この発明によれば、第１電圧と当該第１電圧よりも電位の高い第２電圧と、を交互に共通電極に供給する制御回路を備えてなるので、第１電圧を共通電極に供給した後に、正極性の画像信号をデータ線に供給し、第２電圧を共通電極に供給した後に、負極性の画像信号をデータ線に供給することができるようになる。このため、上述した従来例のように、蓄積容量と画素容量との間で電荷が移動しないので、蓄積容量に特性ばらつきが発生しても、画素電極の電圧にばらつきが生じない。よって、表示品位の低下を抑制できる。
【００２９】
また、この発明によれば、共通電極の電圧を第１電圧または第２電圧に変動させた。このため、上述した従来例のように、蓄積容量の一方の電極に接続された容量線の電圧を、画素容量が有する画素電極や共通電極とは異なる電圧で変動させる必要がない。したがって、蓄積容量の一方の電極の電圧を、共通電極と同様に変動させることができるので、蓄積容量を画素容量と一体に形成できる。よって、液晶を挟持する一対の基板としての第１基板および第２基板のうち第１基板に、画素容量を構成する画素電極および共通電極を備える液晶装置により、本発明の液晶装置を構成できる。
【００３０】
本発明の液晶装置では、前記共通電極は、複数に分割されており、複数に分割されたうちの一つの共通電極に第１の電圧及び前記第２電圧のいずれか一方の電圧が供給される期間に、他の一の共通電極には他方の電圧が供給されるよう構成されてなることを特徴とする。この場合にあって、共通電極は、一水平ライン毎に分割されてなると好ましい。
【００３１】
この発明によれば、共通電極を分割した。このため、共通電極ごとに、制御回路から第１電圧または第２電圧のいずれかの電圧を供給できる。したがって、例えば、第１電圧と第２電圧とを１水平ラインごとに交互に共通電極に供給するとともに、これら共通電極の電圧に対応して、正極性の画像信号と、負極性の画像信号とを、１水平ラインごとに交互に各データ線に供給できる。これにより、１フレーム内に正極性書込を行った画素と負極性書込を行った画素とを混在させ、これら画素の間でフリッカを相殺させることができるので、表示品位の低下をさらに抑制できる。もちろん、共通電極の分割は一水平ライン毎に限らず、複数水平ライン毎に分割することもできる。。
【００３２】
また本発明の液晶装置においては、前記制御回路は、前記第１電圧または前記第２電圧のいずれかを選択する極性信号が供給される単位制御回路を備えてなり、前記単位制御回路は、前記極性信号を保持するラッチ回路と、前記ラッチ回路により保持した前記極性信号に応じて、前記第１電圧または前記第２電圧のいずれかを選択的に出力する選択回路と、を備えることを特徴とする。共通電極を走査線に対応して複数に分割する場合には、単位制御回路は、走査線に対応して複数設けると好ましい。そうすれば、走査線駆動回路により、前記単位制御回路に対応する走査線に隣接する走査線に選択電圧が供給されたときに、ラッチ回路に極性信号を保持することができる。
【００３３】
この発明によれば、制御回路により、第１電圧または第２電圧のいずれかを選択的に共通電極に供給でき、特に、共通電極を走査線に対応して複数に分割する場合に、各共通電極に第１電圧または第２電圧のいずれかを選択的に供給できる。
【００３４】
また、この発明によれば、単位制御回路に対応する走査線に隣接する走査線に選択電圧が供給されると、ラッチ回路により、極性信号を保持した。このため、複数の単位制御回路には、走査線駆動回路により複数の走査線に順次供給される選択電圧に基づいて、極性信号が順次保持される。このため、制御回路は、複数の単位制御回路に順次極性信号を転送するために、シフトレジスタ回路といった順次転送回路を必要としないので、消費電力を低減できる。
【００３５】
また、本発明の液晶装置の駆動方法は、複数の走査線と、複数のデータ線と、前記複数の走査線と前記複数のデータ線との交差に対応して設けられた複数のスイッチング素子と、前記複数のスイッチング素子に接続される複数の画素電極と、前記画素電極に対応して設けた共通電極と、を備える液晶装置を駆動する方法であって、第１電圧と、当該第１電圧よりも電位の高い第２電圧と、を交互に前記共通電極に供給する手順と、前記複数の走査線に選択電圧を順次供給する手順と、前記第１電圧よりも電位の高い正極性の画像信号と、前記第２電圧よりも電位の低い負極性の画像信号と、を交互に前記複数のデータ線に供給する手順と、を含み、前記第１電圧を前記共通電極に供給した後に、前記走査線駆動回路により前記選択電圧を前記走査線に供給するとともに、前記正極性の画像信号を前記データ線に供給する正極性書込手順と、前記第２電圧を前記共通電極に供給した後に、前記選択電圧を前記走査線に供給するとともに、前記負極性の画像信号を前記データ線に供給する負極性書込手順と、を備えることを特徴とする。また、前記共通電極が複数に分割されており、複数に分割された共通電極のうち一の共通電極に前記第１電圧及び前記第２電圧のうちの一方の電圧が供給されている間、他の一の共通電極には他の電圧が供給されることを特徴とする。
【００３６】
また、本発明の他の液晶装置は、第１の基板と、第２の基板と、前記第１の基板と第２の基板との間に設けられた液晶と、を備える液晶装置であって、前記第１の基板に設けられた複数の走査線と、前記第１の基板に設けられた複数のデータ線と、前記複数の走査線と前記複数のデータ線との交差に対応して設けられる複数のスイッチング素子と、前記複数のスイッチング素子に接続された複数の画素電極と、前記第１の基板に設けられ、分割して形成された複数の共通電極と、を備えることを特徴とする。共通電極は、少なくとも一水平ライン毎に分割されてなると好ましい。また、複数に分割されたうちの一つの共通電極に第１の電圧及び前記第１電圧よりも電位の高い第２電圧のいずれか一方の電圧が供給される期間に、他の一の前記共通電極には他方の電圧が供給されるよう構成されてなると好ましい。さらには、複数に分割された各共通電極に第１の電圧及び前記第１電圧及び第２の電圧を交互に供給すると好ましい。
【００３７】
本発明の液晶装置によれは、画素電極が形成された第１の基板に、分割して形成された複数の共通電極を備える。そのため、分割して形成した各共通電極毎に電圧を供給することができるようになる。したがって、容量線の電圧を変動させる必要がなくなり、画素容量と蓄積容量とを一体に形成するＩＰＳやＦＦＳといった液晶装置においても、液晶に印加される駆動電圧の振幅を大きくでき、画像電圧の振幅を小さくしても、液晶に印加される駆動電圧の振幅を確保できる。
【００３８】
また、前記画素電極と、前記共通電極との間に絶縁膜を更に備え、前記画素電極と、前記共通電極との間に容量が形成されてなることを特徴とする。
【００３９】
また、前記第１の基板と前記画素電極、又は前記共通電極との間に第２の絶縁膜を更に備えることを特徴とする。
【００４０】
また、前記共通電極に電気的に接続される補助共通線を備えてなることを特徴とする。
【００４１】
補助共通線は、例えば、隣り合う共通電極間に共通電極に沿って設け、共通電極と接続することで、共通電極の時定数を下げることができる。補助共通線、共通電極より電気抵抗の低い材料により形成すると好ましい。
【００４２】
上述してきた本発明の液晶装置は、例えば各種の電子機器の表示部として適用することができる。特に、電池で駆動する携帯用の電子機器、例えば、デジタルスチルカメラ、携帯電話等に適用すると電池の使用時間を延ばすことができる。
【発明を実施するための最良の形態】
【００４３】
以下、本発明の実施形態を図面に基づいて説明する。なお、以下の実施形態および変形例の説明にあたって、同一構成要件については同一符号を付し、その説明を省略もしくは簡略化する。
【００４４】
＜第１実施形態＞
図１は、本発明の第１実施形態に係る液晶装置１のブロック図である。
液晶装置１は、液晶パネルＡＡと、液晶パネルＡＡに対向配置されて光を出射するバックライト４１と、を備える。この液晶装置１は、バックライト４１からの光を利用して、透過型の表示を行う。
【００４５】
液晶パネルＡＡは、複数の画素５０を有する表示領域Ａと、この表示領域Ａの周辺に設けられて画素５０を駆動する走査線駆動回路１０、データ線駆動回路２０、および制御回路３０を備える。
【００４６】
バックライト４１は、液晶パネルＡＡの裏面に設けられ、例えば、冷陰極蛍光管（ＣＣＦＬ）やＬＥＤ（発光ダイオード）、あるいはエレクトロルミネッセンス（ＥＬ）で構成されて、液晶パネルＡＡの画素５０に光を供給する。
【００４７】
以下、液晶パネルＡＡの構成について詳述する。
液晶パネルＡＡは、所定間隔おきに交互に設けられた３２０行の走査線Ｙ１〜Ｙ３２０および３２０行の共通線Ｚ１〜Ｚ３２０と、これら走査線Ｙ１〜Ｙ３２０および共通線Ｚ１〜Ｚ３２０に交差するように設けられた２４０列のデータ線Ｘ１〜Ｘ２４０と、を備える。各走査線Ｙおよび各データ線Ｘの交差部分には、画素５０が設けられている。
【００４８】
画素５０は、ＴＦＴ５１、画素電極５５、この画素電極５５に対向して設けられた共通電極５６、および、一方の電極が共通線Ｚに接続され他方の電極が画素電極５５に接続された蓄積容量５３で構成される。画素電極５５および共通電極５６は、画素容量５４を構成する。
【００４９】
共通電極５６は、走査線Ｙに対応して、１水平ラインごとに分割されている。１水平ラインごとに分割された複数の共通電極５６は、それぞれ、対応する共通線Ｚに接続されている。
【００５０】
ＴＦＴ５１のゲートには、走査線Ｙが接続され、ＴＦＴ５１のソースには、データ線Ｘが接続され、ＴＦＴ５１のドレインには、画素電極５５および蓄積容量５３の他方の電極が接続されている。したがって、このＴＦＴ５１は、走査線Ｙから選択電圧が印加されるとオン状態となり、データ線Ｘと画素電極５５および蓄積容量５３の他方の電極とを導通状態とする。
【００５１】
図２は、画素５０の拡大平面図である。図３は、図２に示す画素５０のＡ−Ａ断面図である。
【００５２】
図３に示すように、液晶パネルＡＡは、複数の画素電極５５を有する素子基板６０と、この素子基板６０に対向配置された対向基板７０と、素子基板６０と対向基板７０との間に設けられた液晶と、を備える。
【００５３】
図２に示すように、素子基板６０において、各画素５０は、互いに隣り合う２本の導電材料からなる走査線Ｙと、互いに隣り合う２本の導電材料からなるデータ線Ｘと、で囲まれた領域となっている。つまり、各画素５０は、走査線Ｙとデータ線Ｘとで区画されている。
本実施形態では、ＴＦＴ５１は、逆スタガ型のアモルファスシリコンＴＦＴであり、走査線Ｙとデータ線Ｘとの交差部の近傍には、このＴＦＴ５１が形成される領域５０Ｃ（図２中破線で囲まれた部分）が設けられている。
【００５４】
まず、素子基板６０について説明する。
素子基板６０は、ガラス基板６８を有し、このガラス基板６８の上には、ガラス基板６８の表面荒れや汚れによるＴＦＴ５１の特性の変化を防止するために、素子基板６０の全面に亘って下地絶縁膜（図示省略）が形成されている。
【００５５】
下地絶縁膜の上には、導電材料からなる走査線Ｙが形成されている。
走査線Ｙは、隣接する画素５０の境界に沿って設けられ、データ線Ｘとの交差部の近傍において、ＴＦＴ５１のゲート電極５１１を構成する。
【００５６】
走査線Ｙ、ゲート電極５１１、および下地絶縁膜の上には、素子基板６０の全面に亘って、ゲート絶縁膜６２が形成されている。
【００５７】
ゲート絶縁膜６２の上のＴＦＴ５１が形成される領域５０Ｃには、ゲート電極５１１に対向して、アモルファスシリコンからなる半導体層（図示省略）、Ｎ＋アモルファスシリコンからなるオーミックコンタクト層（図示省略）が積層されている。このオーミックコンタクト層には、ソース電極５１２およびドレイン電極５１３が積層されて、これにより、アモルファスシリコンＴＦＴが形成されている。
【００５８】
ソース電極５１２は、データ線Ｘと同一の導電材料で形成されている。すなわち、データ線Ｘからソース電極５１２が突出する構成となっている。データ線Ｘは、走査線Ｙおよび共通線Ｚに対して交差するように設けられている。
上述のように、走査線Ｙの上には、ゲート絶縁膜６２が形成され、このゲート絶縁膜６２の上には、データ線Ｘが形成されている。このため、データ線Ｘは、走査線Ｙとはゲート絶縁膜６２により絶縁されている。
【００５９】
データ線Ｘ、ソース電極５１２、ドレイン電極５１３、およびゲート絶縁膜６２の上には、素子基板６０の全面に亘って、平坦化膜として絶縁膜６３が形成されている。絶縁膜６３は、例えばアクリル樹脂等で形成することができる。
【００６０】
絶縁膜６３の上には、ＩＴＯ（Indium Tin Oxide）といった透明導電材料からなる共通線Ｚが形成されている。共通線Ｚは、走査線Ｙに沿って設けられており、この共通線Ｚは、１水平ラインごとに分割された共通電極５６と一体に形成されている。
【００６１】
共通線Ｚ、共通電極５６、および絶縁膜６３の上には、素子基板６０の全面に亘って、絶縁膜６４が形成されている。絶縁膜６３としては、ＳｉＯ2、ＳｉＮx等透明な無機絶縁膜を用いることができ、必要な補助容量に応じて厚みが調整される。例えば、精細度２００ｐｐｉ以上では、５０ｎｍ〜４００ｎｍに、それ以未満の精細度では２００ｎｍ〜１０００ｎｍに形成する。
【００６２】
絶縁膜６４の上には、共通電極５６に対向する領域に、ＩＴＯ（Indium Tin Oxide）といった透明導電材料からなる画素電極５５が形成されている。画素電極５５は、上述の絶縁膜６３および絶縁膜６４、及び共通電極５６に形成されたコンタクトホール（図示省略）を介して、ドレイン電極５１３に接続されている。
この画素電極５５には、自身と共通電極５６との間で、フリンジフィールド（電界Ｅ）を発生させるための複数のスリット５５Ａが所定間隔おきに設けられている。すなわち、液晶装置１の液晶は、ＦＦＳモードで動作する。
【００６３】
画素電極５５および第２絶縁膜６４の上には、素子基板６０の全面に亘って、ポリイミド膜などの有機膜からなる配向膜（図示省略）が形成されている。
【００６４】
次に、対向基板７０について説明する。
対向基板７０は、ガラス基板７４を有し、このガラス基板７４の上のうち走査線Ｙに対向する位置には、ブラックマトリクスとしての遮光膜７１が形成されている。また、ガラス基板７４の上のうち遮光膜７１が形成されている領域を除く領域には、カラーフィルタ７２が形成されている。
【００６５】
遮光膜７１およびカラーフィルタ７２の上には、対向基板７０の全面に亘って、配向膜（図示省略）が形成されている。
【００６６】
図１に戻って、走査線駆動回路１０は、ＴＦＴ５１をオン状態にする選択電圧を複数の走査線Ｙに順次供給する。例えば、ある走査線Ｙに選択電圧を供給すると、この走査線Ｙに接続されたＴＦＴ５１が全てオン状態となり、この走査線Ｙに係る画素５０が全て選択される。
【００６７】
データ線駆動回路２０は、画像信号をデータ線Ｘに供給し、オン状態のＴＦＴ５１を介して、この画像信号に基づく画像電圧を画素電極５５に書き込む。
ここで、データ線駆動回路２０は、共通電極５６の電圧よりも電位の高い正極性の画像信号をデータ線Ｘに供給して、この正極性の画像信号に基づく画像電圧を画素電極５５に書き込む正極性書込と、共通電極５６の電圧よりも電位の低い負極性の画像信号をデータ線Ｘに供給して、この負極性の画像信号に基づく画像電圧を画素電極５５に書き込む負極性書込と、を１水平ラインごとに交互に行う。
【００６８】
制御回路３０は、第１電圧としての電圧ＶＣＯＭＬと、この電圧ＶＣＯＭＬよりも電位の高い第２電圧としての電圧ＶＣＯＭＨと、を交互に共通線Ｚに供給する。
【００６９】
以上の液晶装置１は、以下のように動作する。
すなわち、まず、制御回路３０から共通線Ｚに電圧ＶＣＯＭＬまたは電圧ＶＣＯＭＨのいずれかを選択的に供給する。
具体的には、各共通線Ｚには、１フレーム期間ごとに、電圧ＶＣＯＭＬと電圧ＶＣＯＭＨとを交互に供給する。例えば、ある１フレーム期間において、ｐ行目の共通線Ｚｐ（ｐは、１≦ｐ≦３２０を満たす整数）に電圧ＶＣＯＭＬを供給した場合、次の１フレーム期間では、共通線Ｚｐに電圧ＶＣＯＭＨを供給する。一方、ある１フレーム期間において、共通線Ｚｐに電圧ＶＣＯＭＨを供給した場合、次の１フレーム期間では、共通線Ｚｐに電圧ＶＣＯＭＬを供給する。
また、隣接する共通線Ｚには、互いに異なる電圧を供給する。例えば、ある１フレーム期間において、共通線Ｚｐに電圧ＶＣＯＭＬを供給した場合、同一の１フレーム期間において、（ｐ−１）行目の共通線Ｚ（ｐ−１）と、（ｐ＋１）行目の共通線Ｚ（ｐ＋１）と、に電圧ＶＣＯＭＨを供給する。一方、ある１フレーム期間において、共通線Ｚｐに電圧
ＶＣＯＭＨを供給した場合、同一の１フレーム期間において、共通線Ｚ（ｐ−１）と共通線Ｚ（ｐ＋１）とに電圧ＶＣＯＭＬを供給する。
【００７０】
次に、走査線駆動回路１０から３２０行の走査線Ｙ１〜Ｙ３２０に選択電圧を順次供給することで、各走査線Ｙに接続された全てのＴＦＴ５１を順次オン状態にして、各走査線Ｙに係る全ての画素５０を順次選択する。
【００７１】
次に、これら画素５０の選択に同期して、共通電極５６の電圧に応じて、データ線駆動回路２０からデータ線Ｘに、正極性の画像信号と、負極性の画像信号と、１水平ラインごとに交互に供給する。具体的には、３２０行の共通線Ｚ１〜Ｚ３２０のうち、選択した画素５０に係る共通線Ｚｐに電圧ＶＣＯＭＬを供給した場合には、正極性の画像信号をデータ線Ｘに供給する。一方、３２０行の共通線Ｚ１〜Ｚ３２０のうち、選択した画素５０に係る共通線Ｚｐに電圧ＶＣＯＭＨを供給した場合には、負極性の画像信号をデータ線Ｘに供給する。
【００７２】
すると、走査線駆動回路１０で選択した全ての画素５０に、データ線駆動回路２０からデータ線Ｘおよびオン状態のＴＦＴ５１を介して画像信号が供給されて、この画像信号に基づく画像電圧が画素電極５５に書き込まれる。これにより、画素電極５５と共通電極５６との間に電位差が生じて、駆動電圧が液晶に印加される。
【００７３】
液晶に駆動電圧が印加されると、液晶の配向や秩序が変化して、液晶を透過するバックライト４１からの光が変化する。この変化した光がカラーフィルタを透過することで、階調表示が行われる。なお、液晶に印加される駆動電圧は、蓄積容量５３により、画像電圧が書き込まれる期間よりも３桁も長い期間に亘って保持される。
【００７４】
図４は、制御回路３０のブロック図である。
制御回路３０は、３２０行の走査線Ｙ１〜Ｙ３２０に対応して、３２０個の単位制御回路Ｐ１〜Ｐ３２０を備える。各単位制御回路Ｐには、電圧ＶＣＯＭＬと、電圧ＶＣＯＭＨと、電圧ＶＣＯＭＬまたは電圧ＶＣＯＭＨのいずれかを選択する極性信号ＰＯＬと、が供給される。
【００７５】
単位制御回路Ｐは、極性信号ＰＯＬを保持するラッチ回路Ｑと、極性信号に応じて電圧ＶＣＯＭＬまたは電圧ＶＣＯＭＨのいずれかを選択的に出力する選択回路Ｒと、を備える。
【００７６】
ラッチ回路Ｑは、極性信号ＰＯＬを保持する方法から、２つに大別できる。１つは、１行目の走査線Ｙ１に対応して設けられたラッチ回路Ｑ１と、３２０行目の走査線Ｙ３２０に対応して設けられたラッチ回路Ｑ３２０と、である。もう１つは、上述のラッチ回路Ｑ１、Ｑ３２０を除くラッチ回路Ｑ２〜Ｑ３１９である。
【００７７】
まず、ラッチ回路Ｑ２〜Ｑ３１９について、以下に説明する。
ｑ行目（ｑは、２≦ｑ≦３１９を満たす整数）の走査線Ｙｑに対応して設けられたラッチ回路Ｑｑは、否定論理和演算回路（以降、ＮＯＲ回路と呼ぶ）３１と、第１のインバータ３２と、第２のインバータ３３と、第１のクロックドインバータ３４と、第２のクロックドインバータ３５と、を備える。
【００７８】
ＮＯＲ回路３１の２つの入力端子には、それぞれ、（ｑ−１）行目の走査線Ｙ（ｑ−１）と、（ｑ＋１）行目の走査線Ｙ（ｑ＋１）と、が接続されている。ＮＯＲ回路３１の出力端子には、第１のインバータ３２の入力端子と、第１のクロックドインバータ３４の反転入力制御端子と、第２のクロックドインバータ３５の非反転入力制御端子と、が接続されている。
【００７９】
第１のインバータ３２の出力端子には、第１のクロックドインバータ３４の非反転入力制御端子と、第２のクロックドインバータ３５の反転入力制御端子と、が接続されている。
【００８０】
第１のクロックドインバータ３４の入力端子からは、極性信号ＰＯＬが入力される。第１のクロックドインバータ３４の出力端子には、第２のインバータ３３の入力端子が接続されている。
【００８１】
第２のクロックドインバータ３５の入力端子には、第２のインバータ３３の出力端子が接続され、第２のクロックドインバータ３５の出力端子には、第２のインバータ３３の入力端子が接続されている。
【００８２】
以上のラッチ回路Ｑｑは、以下のように動作する。
すなわち、走査線Ｙ（ｑ−１）と走査線Ｙ（ｐ＋１）とのうち少なくともいずれかに選択電圧が供給されると、ラッチ回路Ｑｑが備えるＮＯＲ回路３１は、Ｌレベルの信号を出力する。このＬレベルの信号は、第１のクロックドインバータ３４の反転入力制御端子に入力されるとともに、第１のインバータ３２で反転され、Ｈレベルの信号として第１のクロックドインバータ３４の非反転入力端子に入力される。このため、第１のクロックドインバータ３４は、オン状態となり、極性信号ＰＯＬを反転して出力する。この第１のクロクドインバータ３４から反転して出力された極性信号ＰＯＬは、第２のインバータ３３により反転されて出力される。
【００８３】
以上のように、走査線駆動回路により走査線Ｙ（ｑ−１）と走査線Ｙ（ｑ＋１）とのうち少なくともいずれかに選択電圧が供給されると、ラッチ回路Ｑｐは、極性信号ＰＯＬを取り込む。
【００８４】
一方、走査線Ｙ（ｑ−１）と走査線Ｙ（ｐ＋１）との両方に選択電圧が供給されないと、ラッチ回路Ｑｑが備えるＮＯＲ回路３１は、Ｈレベルの信号を出力する。このＨレベルの信号は、第２のクロックドインバータ３５の非反転入力制御端子に入力されるとともに、第１のインバータ３２で反転され、Ｌレベルの信号として第２のクロックドインバータ３５の反転入力端子に入力される。このため、第２のクロックドインバータ３５は、オン状態となり、第２のインバータ３３から出力された極性信号ＰＯＬを反転して出力する。この第２のクロックドインバータ３５から反転して出力された極性信号ＰＯＬは、再度、第２のインバータ３３により入力される。
【００８５】
以上のように、走査線駆動回路により走査線Ｙ（ｑ−１）と走査線Ｙ（ｐ＋１）との両方に選択電圧が供給されないと、ラッチ回路Ｑｐは、既に取り込んでいる極性信号ＰＯＬを第２のインバータ３３および第２のクロックドインバータ３５により保持する。
【００８６】
次に、ラッチ回路Ｑ１、Ｑ３２０について、以下に説明する。
ラッチ回路Ｑ１、Ｑ３２０は、上述のラッチ回路Ｑｑと比べて、ＮＯＲ回路３１の代わりに、Ｌレベルの信号を出力する低電位電源ＶＬＬを備える。その他の構成は、上述のラッチ回路Ｑｑと同様である。
【００８７】
これらラッチ回路Ｑ１、Ｑ３２０は、以下のように動作する。
すなわち、低電位電源ＶＬＬからは、常にＬレベルの信号が出力される。このＬレベルの信号は、第１のクロックドインバータ３４の反転入力制御端子に入力されるとともに、第１のインバータ３２で反転され、Ｈレベルの信号として第１のクロックドインバータ３４の非反転入力制御端子に入力される。このため、第１のクロックドインバータ３４は、常にオン状態となり、常に極性信号ＰＯＬを反転して出力する。この第１のクロックドインバータ３４から反転して出力された極性信号ＰＯＬは、第２のインバータ３３により反転されて出力される。以上のように、ラッチ回路Ｑ１、Ｑ３２０は、常に極性信号ＰＯＬを取り込む。
【００８８】
選択回路Ｒは、インバータ３６と、第１のトランスファゲート３７と、第２のトランスファゲート３８と、を備える。
【００８９】
インバータ３６の入力端子には、ラッチ回路Ｑが備える第２のインバータ３３の出力端子が接続され、インバータ３６の出力端子には、第１のトランスファゲート３７の非反転入力制御端子と、第２のトランスファゲート３８の反転入力制御端子と、が接続されている。
【００９０】
第１のトランスファゲート３７の反転入力制御端子には、ラッチ回路Ｑが備える第２のインバータ３３の出力端子が接続され、第１のトランスファゲート３７の出力端子には、共通線Ｚが接続されている。また、奇数行目の走査線Ｙに対応して設けられた選択回路Ｒが備える第１のトランスファゲート３７の入力端子からは、電圧ＶＣＯＭＨが入力される。一方、偶数行目の走査線Ｙに対応して設けられた選択回路Ｒが備える第１のトランスファゲート３７の入力端子からは、電圧ＶＣＯＭＬが入力される。
【００９１】
第２のトランスファゲート３８の非反転入力制御端子には、ラッチ回路Ｑが備える第２のインバータ３３の出力端子が接続され、第２のトランスファゲート３８の出力端子には、共通線Ｚが接続されている。また、奇数行目の走査線Ｙに対応して設けられた選択回路Ｒが備える第２のトランスファゲート３８の入力端子からは、電圧ＶＣＯＭＬが入力される。一方、偶数行目の走査線Ｙに対応して設けられた選択回路Ｒが備える第２のトランスファゲート３８の入力端子からは、電圧ＶＣＯＭＨが入力される。
【００９２】
以上の選択回路Ｒは、以下のように動作する。
すなわち、ラッチ回路Ｑが備える第２のインバータ３３からＬレベルの極性信号ＰＯＬが出力されると、このＬレベルの極性信号ＰＯＬは、第１のトランスファゲート３７の反転入力制御端子に入力されるとともに、インバータ３６で反転され、Ｈレベルの極性信号ＰＯＬとして第１のトランスファゲート３７の非反転入力制御端子に入力される。このため、第１のトランスファゲート３７は、オン状態となる。
【００９３】
オン状態となった第１のトランスファゲート３７が、奇数行目の走査線Ｙに対応して設けられた選択回路Ｒが備えるものであれば、電圧ＶＣＯＭＨを共通線Ｚに出力する。一方、オン状態となった第１のトランスファゲート３７が、偶数行目の走査線Ｙに対応して設けられた選択回路Ｒが備えるものであれば、電圧ＶＣＯＭＬを共通線Ｚに出力する。
【００９４】
一方、ラッチ回路Ｑが備える第２のインバータ３３からＨレベルの極性信号ＰＯＬが出力されると、このＨレベルの極性信号ＰＯＬは、第２のトランスファゲート３８の非反転入力制御端子に入力されるとともに、インバータ３６で反転され、Ｌレベルの極性信号ＰＯＬとして第２のトランスファゲート３８の反転入力制御端子に入力される。このため、第２のトランスファゲート３８は、オン状態となる。
【００９５】
オン状態となった第２のトランスファゲート３８が、奇数行目の走査線Ｙに対応して設けられた選択回路Ｒが備えるものであれば、電圧ＶＣＯＭＬを共通線Ｚに出力する。一方、オン状態となった第２のトランスファゲート３８が、偶数行目の走査線Ｙに対応して設けられた選択回路Ｒが備えるものであれば、電圧ＶＣＯＭＨを共通線Ｚに出力する。
【００９６】
以上のラッチ回路Ｑおよび選択回路Ｒを備えた制御回路３０の動作について、図５を用いて説明する。
図５は、制御回路３０のタイミングチャートである。
【００９７】
まず、時刻ｔ１において、極性信号ＰＯＬを電圧ＶＬＬとして、極性信号ＰＯＬをＬレベルとする。すると、単位制御回路Ｐ１、Ｐ３２０は、常に極性信号ＰＯＬを取り込むラッチ回路Ｑ１、Ｑ３２０により、Ｌレベルの極性信号ＰＯＬを取り込んで、選択回路Ｒ１、Ｒ３２０により、電圧ＶＣＯＭＨおよび電圧ＶＣＯＭＬをそれぞれ出力する。このため、単位制御回路Ｐ１に接続された共通線Ｚ１は、電圧ＶＣＯＭＨとなり、単位制御回路Ｐ３２０に接続された共通線Ｚ３２０は、電圧ＶＣＯＭＬとなる。また、電圧ＶＧＨは、８Ｖであり、電圧ＶＧＬは、−１Ｖである。
【００９８】
次に、時刻ｔ２において、走査線駆動回路１０から１行目の走査線Ｙ１に選択電圧を供給して、走査線Ｙ１の電圧を電圧ＶＧＨとする。すると、走査線Ｙ１に隣接する走査線Ｙ２に対応して設けられた単位制御回路Ｐ２は、ラッチ回路Ｑ２により、Ｌレベルの極性信号ＰＯＬを取り込んで、選択回路Ｒ２により、電圧ＶＣＯＭＬを出力する。このため、単位制御回路Ｐ２に接続された共通線Ｚ２は、電圧ＶＣＯＭＬとなる。
【００９９】
次に、時刻ｔ３において、走査線駆動回路１０から走査線Ｙ１に選択電圧を供給するのを停止して、走査線Ｙ１の電圧を電圧ＶＧＬとする。同時に、走査線駆動回路１０から２行目の走査線Ｙ２に選択電圧を供給して、走査線Ｙ２の電圧を電圧ＶＧＨとする。すると、走査線Ｙ２に隣接する走査線Ｙ３に対応して設けられた単位制御回路Ｐ３は、ラッチ回路Ｑ３により、Ｌレベルの極性信号ＰＯＬを取り込んで、選択回路Ｒ３により、電圧ＶＣＯＭＨを出力する。このため、単位制御回路Ｐ３に接続された共通線Ｚ３は、電圧ＶＣＯＭＨとなる。
【０１００】
次に、時刻ｔ４において、走査線駆動回路１０から走査線Ｙ２に選択電圧を供給するのを停止して、走査線Ｙ２の電圧を電圧ＶＧＬとする。同時に、走査線駆動回路１０から３行目の走査線Ｙ３に選択電圧を供給して、走査線Ｙ３の電圧を電圧ＶＧＨとする。すると、走査線Ｙ３に隣接する走査線Ｙ４に対応して設けられた単位制御回路Ｐ４は、ラッチ回路Ｑ４により、Ｌレベルの極性信号ＰＯＬを取り込んで、選択回路Ｒ４により、電圧ＶＣＯＭＬを出力する。このため、単位制御回路Ｐ４に接続された共通線Ｚ４は、電圧ＶＣＯＭＬとなる。また、走査線Ｙ３に隣接する走査線Ｙ２に対応して設けられた単位制御回路Ｐ２は、ラッチ回路Ｑ２により、Ｌレベルの極性信号ＰＯＬを取り込んで、選択回路Ｒ２により、電圧ＶＣＯＭＬを出力する。このため、単位制御回路Ｐ２に接続された共通線Ｚ２は、電圧ＶＣＯＭＬとなる。
【０１０１】
次に、時刻ｔ５において、走査線駆動回路１０から走査線Ｙ３に選択電圧を供給するのを停止して、走査線Ｙ３の電圧を電圧ＶＧＬとする。同時に、走査線駆動回路１０から４行目の走査線Ｙ４に選択電圧を供給して、走査線Ｙ４の電圧を電圧ＶＧＨとする。すると、走査線Ｙ４に隣接する走査線Ｙ５に対応して設けられた単位制御回路Ｐ５は、ラッチ回路Ｑ５により、Ｌレベルの極性信号ＰＯＬを取り込んで、選択回路Ｒ５により、電圧ＶＣＯＭＨを出力する。このため、単位制御回路Ｐ５に接続された共通線Ｚ５は、電圧ＶＣＯＭＨとなる。また、走査線Ｙ４に隣接する走査線Ｙ３に対応して設けられた単位制御回路Ｐ３は、ラッチ回路Ｑ３により、Ｌレベルの極性信号ＰＯＬを取り込んで、選択回路Ｒ３により、電圧ＶＣＯＭＨを出力する。このため、単位制御回路Ｐ３に接続された共通線Ｚ３は、電圧ＶＣＯＭＨとなる。
【０１０２】
以降、走査線駆動回路１０から奇数行目の走査線Ｙ（ただし、１行目の走査線Ｙ１を除く）に選択電圧を供給すると、時刻ｔ４のように動作し、偶数行目の走査線Ｙ（ただし、３２０行目の走査線Ｙ３２０を除く）に選択電圧を供給すると、時刻ｔ５のように動作する。
【０１０３】
次に、時刻ｔ７において、走査線駆動回路１０から３２０行目の走査線Ｙ３２０に選択電圧を供給するのを停止して、走査線Ｙ３２０の電圧を電圧ＶＧＬとする。同時に、極性信号ＰＯＬを電圧ＶＨＨとして、極性信号ＰＯＬをＨレベルとする。すると、単位制御回路Ｐ１、Ｐ３２０は、常に極性信号ＰＯＬを取り込むラッチ回路Ｑ１、Ｑ３２０により、Ｈレベルの極性信号ＰＯＬを取り込んで、選択回路Ｒ１、Ｒ３２０により、電圧ＶＣＯＭＬおよび電圧ＶＣＯＭＨをそれぞれ出力する。このため、単位制御回路Ｐ１に接続された共通線Ｚ１は、電圧ＶＣＯＭＬとなり、単位制御回路Ｐ３２０に接続された共通線Ｚ３２０は、電圧ＶＣＯＭＨとなる。
【０１０４】
次に、時刻ｔ８において、時刻ｔ２と同様に、走査線駆動回路１０から走査線Ｙ１に選択電圧を供給して、走査線Ｙ１の電圧を電圧ＶＧＨとする。すると、単位制御回路Ｐ２は、電圧ＶＣＯＭＨを出力するので、この単位制御回路Ｐ２に接続された共通線Ｚ２は、電圧ＶＣＯＭＨとなる。
【０１０５】
次に、時刻ｔ９において、時刻ｔ３と同様に、走査線駆動回路１０から走査線Ｙ１に選択電圧を供給するのを停止して、走査線Ｙ１の電圧を電圧ＶＧＬとする。同時に、時刻ｔ３と同様に、走査線駆動回路１０から走査線Ｙ２に選択電圧を供給して、走査線Ｙ２の電圧を電圧ＶＧＨとする。すると、単位制御回路Ｐ３は、電圧ＶＣＯＭＬを出力するので、この単位制御回路Ｐ３に接続された共通線Ｚ３は、電圧ＶＣＯＭＬとなる。
【０１０６】
次に、時刻ｔ１０において、時刻ｔ４と同様に、走査線駆動回路１０から走査線Ｙ２に選択電圧を供給するのを停止して、走査線Ｙ２の電圧を電圧ＶＧＬとする。同時に、時刻ｔ４と同様に、走査線駆動回路１０から走査線Ｙ３に選択電圧を供給して、走査線Ｙ３の電圧を電圧ＶＧＨとする。すると、単位制御回路Ｐ４は、電圧ＶＣＯＭＨを出力するので、この単位制御回路Ｐ４に接続された共通線Ｚ４は、電圧ＶＣＯＭＨとなる。
また、時刻ｔ４と同様に、単位制御回路Ｐ２は、電圧ＶＣＯＭＨを出力するので、この単位制御回路Ｐ２に接続された共通線Ｚ２は、電圧ＶＣＯＭＨとなる。
【０１０７】
次に、時刻ｔ１１において、時刻ｔ５と同様に、走査線駆動回路１０から走査線Ｙ３に選択電圧を供給するのを停止して、走査線Ｙ３の電圧を電圧ＶＧＬとする。同時に、時刻ｔ５と同様に、走査線駆動回路１０から走査線Ｙ４に選択電圧を供給して、走査線Ｙ４の電圧を電圧ＶＧＨとする。すると、単位制御回路Ｐ５は、電圧ＶＣＯＭＬを出力するので、この単位制御回路Ｐ５に接続された共通線Ｚ５は、電圧ＶＣＯＭＬとなる。また、時刻ｔ５と同様に、単位制御回路Ｐ３は、電圧ＶＣＯＭＬを出力するので、この単位制御回路Ｐ３に接続された共通線Ｚ３は、電圧ＶＣＯＭＬとなる。
【０１０８】
以降、走査線駆動回路１０から奇数行目の走査線Ｙ（ただし、走査線Ｙ１を除く）に選択電圧を供給すると、時刻ｔ１０のように動作し、偶数行目の走査線Ｙ（ただし、走査線Ｙ３２０を除く）に選択電圧を供給すると、時刻ｔ１１のように動作する。
【０１０９】
以上の制御回路３０を備えた液晶装置１の動作について、図６、７を用いて説明する。
図６は、液晶装置１の正極性書込時のタイミングチャートである。図７は、液晶装置１の負極性書込時のタイミングチャートである。図６、７において、ＧＡＴＥ（ｒ）は、３２０行の走査線Ｙのうちｒ行目（ｒは、１≦ｒ≦３２０を満たす整数）の走査線Ｙｒの電圧であり、ＳＯＵＲＣＥ（ｓ）は、２４０列のデータ線Ｘのうちｓ列目（ｓは、１≦ｓ≦２４０を満たす整数）のデータ線Ｘｓの電圧である。また、ＰＩＸ（ｒ、ｓ）は、ｒ行目の走査線Ｙｒと、ｓ列目のデータ線Ｘｓと、の交差に対応して設けられたｒ行ｓ列目の画素５０が備える画素電極５５の電圧である。また、ＶＣＯＭ（ｒ）は、ｒ行目の共通線Ｚｒに接続された共通電極５６の電圧である。
【０１１０】
まず、液晶装置１の正極性書込時について、図６を用いて説明する。
時刻ｔ２１において、制御回路３０により、共通線Ｚｒに電圧ＶＣＯＭＬを供給する。すると、共通線Ｚｒに接続された共通電極５６の電圧ＶＣＯＭ（ｒ）は、徐々に低下して、時刻ｔ２２では、電圧ＶＣＯＭＬとなる。
共通線Ｚｒに接続された共通電極５６の電圧ＶＣＯＭ（ｒ）が低下すると、ｒ行ｓ列目の画素５０が備える画素電極５５の電圧ＰＩＸ（ｒ、ｓ）は、電圧ＶＣＯＭ（ｒ）と電圧ＰＩＸ（ｒ、ｓ）との電位差を保つように低下する。このため、ｒ行ｓ列目の画素５０が備える画素電極５５の電圧ＰＩＸ（ｒ、ｓ）は、徐々に低下して、時刻ｔ２２では、電圧ＶＰ１となる。
【０１１１】
時刻ｔ２３において、走査線駆動回路１０により、走査線Ｙｒに選択電圧を供給する。すると、走査線Ｙｒの電圧ＧＡＴＥ（ｒ）は、上昇して、時刻ｔ２４では、電圧ＶＧＨとなる。これにより、走査線Ｙｒに接続されたＴＦＴ５１が全てオン状態となる。
【０１１２】
時刻ｔ２５において、データ線駆動回路２０により、データ線Ｘｓに正極性の画像信号を供給する。すると、データ線Ｘｓの電圧ＳＯＵＲＣＥ（ｓ）は、徐々に上昇して、時刻ｔ２６では、電圧ＶＰ３となる。
データ線Ｘｓの電圧ＳＯＵＲＣＥ（ｓ）は、正極性の画像信号に基づく画像電圧として、走査線Ｙｒに接続されたオン状態のＴＦＴ５１を介して、ｒ行ｓ列目の画素５０が備える画素電極５５に書き込まれる。このため、ｒ行ｓ列目の画素５０が備える画素電極５５の電圧ＰＩＸ（ｒ、ｓ）は、徐々に上昇して、時刻ｔ２６では、データ線Ｘｓの電圧ＳＯＵＲＣＥ（ｓ）と同電位である電圧ＶＰ３となる。
【０１１３】
時刻ｔ２７において、走査線駆動回路１０により、走査線Ｙｒに選択電圧を供給するのを停止する。すると、走査線Ｙｒの電圧ＧＡＴＥ（ｒ）は、低下して、時刻ｔ２８では、電圧ＶＧＬとなる。これにより、走査線Ｙｒに接続されたＴＦＴ５１が全てオフ状態となる。
【０１１４】
次に、液晶装置１の負極性書込時について、図７を用いて説明する。
時刻ｔ３１において、制御回路３０により、共通線Ｚｒに電圧ＶＣＯＭＨを供給する。すると、共通線Ｚｒに接続された共通電極５６の電圧ＶＣＯＭ（ｒ）は、徐々に上昇して、時刻ｔ３２では、電圧ＶＣＯＭＨとなる。共通線Ｚｒに接続された共通電極５６の電圧ＶＣＯＭ（ｒ）が上昇すると、ｒ行ｓ列目の画素５０が備える画素電極５５の電圧ＰＩＸ（ｒ、ｓ）は、電圧ＶＣＯＭ（ｒ）と電圧ＰＩＸ（ｒ、ｓ）との電位差を保つように上昇する。このため、ｒ行ｓ列目の画素５０が備える画素電極５５の電圧ＰＩＸ（ｒ、ｓ）は、徐々に上昇して、時刻ｔ３２では、電圧ＶＰ６となる。
【０１１５】
時刻ｔ３３において、走査線駆動回路１０により、走査線Ｙｒに選択電圧を供給する。すると、走査線Ｙｒの電圧ＧＡＴＥ（ｒ）は、上昇して、時刻ｔ３４では、電圧ＶＧＨとなる。これにより、走査線Ｙｒに接続されたＴＦＴ５１が全てオン状態となる。
【０１１６】
時刻ｔ３５において、データ線駆動回路２０により、データ線Ｘｓに負極性の画像信号を供給する。すると、データ線Ｘｓの電圧ＳＯＵＲＣＥ（ｓ）は、徐々に低下して、時刻ｔ３６では、電圧ＶＰ４となる。
データ線Ｘｓの電圧ＳＯＵＲＣＥ（ｓ）は、負極性の画像信号に基づく画像電圧として、走査線Ｙｒに接続されたオン状態のＴＦＴ５１を介して、ｒ行ｓ列目の画素５０が備える画素電極５５に書き込まれる。このため、ｒ行ｓ列目の画素５０が備える画素電極５５の電圧ＰＩＸ（ｒ、ｓ）は、徐々に低下して、時刻ｔ３６では、データ線Ｘｓの電圧ＳＯＵＲＣＥ（ｓ）と同電位である電圧ＶＰ４となる。
【０１１７】
時刻ｔ３７において、走査線駆動回路１０により、走査線Ｙｒに選択電圧を供給するのを停止する。すると、走査線Ｙｒの電圧ＧＡＴＥ（ｒ）は、低下して、時刻ｔ３８では、電圧ＶＧＬとなる。これにより、走査線Ｙｒに接続されたＴＦＴ５１が全てオフ状態となる。
【０１１８】
本実施形態によれば、以下のような効果がある。
（１）電圧ＶＣＯＭＬを共通線Ｚに供給して、共通電極５６の電圧を電圧ＶＣＯＭＬとした後に、正極性の画像信号をデータ線Ｘに供給して、正極性の画像電圧を画素電極５５に書き込んだ。また、電圧ＶＣＯＭＨを共通線Ｚに供給して、共通電極５６の電圧を電圧ＶＣＯＭＨとした後に、負極性の画像信号をデータ線Ｘに供給して、負極性の画像電圧を画素電極５５に書き込んだ。このため、上述した従来例のように、蓄積容量５３と画素容量５４との間で電荷が移動しないので、蓄積容量５３に特性ばらつきが発生しても、画素電極５５の電圧にばらつきが生じない。よって、表示品位の低下を抑制できる。
【０１１９】
（２）共通電極５６の電圧ＶＣＯＭ（ｒ）を電圧ＶＣＯＭＬまたは電圧ＶＣＯＭＨに変動させた。したがって、蓄積容量５３の一方の電極の電圧を、共通電極５６と同様に変動させることができるので、蓄積容量５３を画素容量５４と一体に形成できる。よって、液晶を挟持する一対の基板としての素子基板６０および対向基板７０のうち素子基板６０に、画素容量５４を構成する画素電極５５および共通電極５６を備える液晶装置１により、本発明の液晶装置を構成できる。
【０１２０】
（３）１水平ラインごとに共通電極５６を分割した。そして、電圧ＶＣＯＭＬと電圧ＶＣＯＭＨとを１水平ラインごとに交互に共通電極５６に供給するとともに、これら共通電極５６の電圧に対応して、正極性の画像信号と、負極性の画像信号とを、１水平ラインごとに交互に各データ線Ｘに供給した。このため、１フレーム内に正極性書込を行った画素５０と負極性書込を行った画素５０とを混在させ、これら画素５０の間でフリッカを相殺させることができるので、表示品位の低下をさらに抑制できる。
【０１２１】
（４）制御回路３０に、３２０行の走査線Ｙ１〜Ｙ３２０に対応して、３２０個の単位制御回路Ｐ１〜Ｐ３２０を設け、各単位制御回路Ｐに、ラッチ回路Ｑおよび選択回路Ｒを設けた。よって、制御回路３０により、電圧ＶＣＯＭＬまたは電圧ＶＣＯＭＨのいずれかを選択的に共通電極５６に供給できる。
【０１２２】
（５）単位制御回路Ｐに対応する走査線Ｙに隣接する走査線Ｙに選択電圧が供給されると、ラッチ回路Ｑにより、極性信号を保持した。このため、複数の単位制御回路Ｐには、走査線駆動回路１０により複数の走査線Ｙに順次供給される選択電圧に基づいて、極性信号が順次保持される。このため、制御回路３０は、複数の単位制御回路Ｐに順次極性信号を転送するために、シフトレジスタ回路といった順次転送回路を必要としないので、消費電力を低減できる。
【０１２３】
（６）ラッチ回路Ｑ１、Ｑ３２０により、常に極性信号ＰＯＬを取り込むとともに、ラッチ回路Ｑ２〜Ｑ３１９により、隣接する２つの走査線Ｙのうち少なくともいずれかに選択電圧が供給されると、極性信号を取り込んだ。このため、走査線駆動回路１０により走査線Ｙ１から走査線Ｙ３２０の順に選択される場合だけでなく、走査線駆動回路１０により走査線Ｙ３２０から走査線Ｙ１の順に選択される場合でも、制御回路３０は、複数の単位制御回路Ｐに順次極性信号を転送できる。
【０１２４】
（７）上述した従来例では、容量線の電圧を変動させた後に、画素電極に書き込んだ画像電圧がオフ状態のＴＦＴから漏れ出すのを防ぐために、ＴＦＴをオフ状態にする電圧を例えば−４Ｖ程度に設定する。このため、ＴＦＴをオン状態にする電圧が例えば８Ｖであれば、走査線の電圧振幅は、１２Ｖとなる。そこで、ＴＦＴ５１をオフ状態にする電圧を−１Ｖに設定し、ＴＦＴ５１をオン状態にする電圧を８Ｖに設定して、走査線Ｙの電圧振幅を９Ｖとした。このため、消費電力を低減できるとともに、ＴＦＴ５１の信頼性を向上できる。
【０１２５】
＜第２実施形態＞
図８は、本発明の第２実施形態に係る制御回路３０Ａのブロック図である。
本実施形態では、１行目の走査線Ｙ１に対応して設けられたラッチ回路Ｑ１Ａと、３２０行目の走査線Ｙ３２０に対応して設けられたラッチ回路Ｑ３２０Ａと、の構成が、第１実施形態のラッチ回路Ｑ１、Ｑ３２０とは異なる。その他の構成については、第１実施形態と同様であり、説明を省略する。
【０１２６】
ラッチ回路Ｑ１Ａ、Ｑ３２０Ａは、それぞれ、第１のインバータ３２と、第２のインバータ３３と、第１のクロックドインバータ３４と、第２のクロックドインバータ３５と、第３のインバータ３９と、を備える。
【０１２７】
ラッチ回路Ｑ１Ａが備える第３のインバータ３９の入力端子には、走査線Ｙ１が接続され、ラッチ回路Ｑ３２０Ａが備える第３のインバータ３９の入力端子には、走査線Ｙ３２０が接続されている。これら第３のインバータ３９の出力端子には、第１のインバータ３２の入力端子と、第１のクロックドインバータ３４の反転入力制御端子と、第２のクロックドインバータ３５の非反転入力制御端子と、が接続されている。
【０１２８】
このラッチ回路Ｑ１Ａは、以下のように動作する。
すなわち、走査線Ｙ１に選択電圧が供給されると、ラッチ回路Ｑ１Ａが備える第３のインバータ３９は、Ｌレベルの信号を出力する。このＬレベルの信号は、第１のクロックドインバータ３４の反転入力制御端子に入力されるとともに、第１のインバータ３２で反転され、Ｈレベルの信号として第１のクロックドインバータ３４の非反転入力端子に入力される。このため、第１のクロックドインバータ３４は、オン状態となり、極性信号ＰＯＬを反転して出力する。この第１のクロックドインバータ３４から反転して出力された極性信号ＰＯＬは、第２のインバータ３３により反転されて出力される。
【０１２９】
また、ラッチ回路Ｑ３２０Ａは、走査線Ｙ３２０に選択電圧が供給されると、上述のラッチ回路Ｑ１Ａと同様に動作する。
【０１３０】
以上のように、走査線駆動回路１０により走査線Ｙ１に選択電圧が供給されると、ラッチ回路Ｑ１Ａは、極性信号ＰＯＬを取り込み、走査線駆動回路１０により走査線Ｙ３２０に選択電圧が供給されると、ラッチ回路Ｑ３２０Ａは、極性信号ＰＯＬを取り込む。
【０１３１】
図９は、制御回路３０Ａのタイミングチャートである。
図９に示す制御回路３０Ａのタイミングチャートでは、図５に示した第１実施形態の制御回路３０のタイミングチャートと比べて、共通線Ｚ１、Ｚ３２０の電圧が変動するタイミングが異なる。
【０１３２】
共通線Ｚ１は、走査線駆動回路１０から走査線Ｙ１に選択電圧を供給すると同時に、電圧が反転する。
【０１３３】
具体的には、時刻ｔ４１において、走査線駆動回路１０から走査線Ｙ１に選択電圧が供給されると同時に、単位制御回路Ｐ１Ａは、ラッチ回路Ｑ１Ａにより、Ｌレベルの極性信号ＰＯＬを取り込んで、選択回路Ｒ１により、電圧ＶＣＯＭＨを出力する。このため、単位制御回路Ｐ１Ａに接続された共通線Ｚ１は、電圧ＶＣＯＭＨとなる。
【０１３４】
また、時刻ｔ４４において、走査線駆動回路１０から走査線Ｙ１に選択電圧が供給されると同時に、単位制御回路Ｐ１Ａは、ラッチ回路Ｑ１Ａにより、Ｈレベルの極性信号ＰＯＬを取り込んで、選択回路Ｒ１により、電圧ＶＣＯＭＬを出力する。このため、単位制御回路Ｐ１Ａに接続された共通線Ｚ１は、電圧ＶＣＯＭＬとなる。
【０１３５】
また、共通線Ｚ３２０は、共通線Ｚ１と同様に、走査線駆動回路１０から走査線Ｙ３２０に選択電圧が供給されると同時に、電圧の極性が反転する。
【０１３６】
具体的には、時刻ｔ４３において、走査線駆動回路１０から走査線Ｙ３２０に選択電圧が供給されると同時に、単位制御回路Ｐ３２０Ａは、ラッチ回路Ｑ３２０Ａにより、Ｌレベルの極性信号ＰＯＬを取り込んで、選択回路Ｒ３２０により、電圧ＶＣＯＭＬを出力する。このため、単位制御回路Ｐ３２０Ａに接続された共通線Ｚ３２０は、電圧ＶＣＯＭＬとなる。
【０１３７】
また、時刻ｔ４４において、走査線駆動回路１０から走査線Ｙ３２０に選択電圧が供給されると同時に、単位制御回路Ｐ３２０Ａは、ラッチ回路Ｑ３２０Ａにより、Ｈレベルの極性信号ＰＯＬを取り込んで、選択回路Ｒ３２０により、電圧ＶＣＯＭＨを出力する。このため、単位制御回路Ｐ３２０Ａに接続された共通線Ｚ３２０は、電圧ＶＣＯＭＨとなる。
【０１３８】
本実施形態によれば、以下のような効果がある。
（８）図２に示したように、共通電極５６は、１水平ラインごとに分割されている。このため、共通電極５６の電圧が隣接する１水平ラインごとに異なると、これらの間で電界が発生して、液晶の配向や秩序が微妙に変化する場合がある。特に、第１実施形態では、図５で示したように、時刻ｔ６〜ｔ７の期間において、共通線Ｚ３１９の電圧は、電圧ＶＣＯＭＨであり、共通線Ｚ３２０の電圧は、電圧ＶＣＯＭＬである。ここで、時刻ｔ６〜ｔ７の期間は、走査線駆動回路１０により走査線Ｙを選択する期間の３倍の期間に相当する。このため、時刻ｔ６〜ｔ７の期間において、共通線Ｚ３１９に接続された共通電極５６と、共通線Ｚ３２０に接続された共通電極５６と、の間で電界が発生して、液晶の配向や秩序が大きく変化する場合があった。そこで、走査線Ｙ３２０に選択電圧が供給されると同時に、共通線Ｚ３２０の電圧の極性を反転させ、共通線Ｚ３１９の電圧と、共通線Ｚ３２０の電圧と、が異なる期間を時刻ｔ４２〜ｔ４３の期間とした。ここで、時刻ｔ４２〜ｔ４３の期間は、走査線駆動回路１０により走査線Ｙを選択する期間の２倍の期間に相当するので、第１実施形態と比べて、共通線Ｚ３１９の電圧と、共通線Ｚ３２０の電圧と、が異なる期間が短い。このため、第１実施形態と比べて、共通線Ｚ３１９に接続された共通電極５６と、共通線Ｚ３２０に接続された共通電極５６と、の間で電界が発生して、液晶の配向や秩序が変化するのを抑制できる。
【０１３９】
＜第３実施形態＞
図１０は、本発明の第３実施形態に係る画素５０Ａの拡大平面図である。
本実施形態では、画素５０Ａが補助共通線ＺＡおよびコンタクト部５８を備える点が、第１実施形態の画素５０とは異なる。その他の構成については、第１実施形態と同様であり、説明を省略する。
【０１４０】
補助共通線ＺＡは、導電性の金属からなり、１水平ラインごとに分割して設けられた共通電極５６に対応して設けられている。この補助共通線ＺＡは、走査線Ｙに沿って形成されている。補助共通線ＺＡとしては、共通電極５６より電気抵抗の小さい材料を用いることができる。例えば共通電極がＩＴＯ等の透明導電膜である場合は、アルミニウム、チタン、あるいはそれらの積層構造等を用いることができる。また、走査走査線Ｙと同層、同材料で形成することで製造プロセスを増やすことなく、補助共通線を設けることができる。補助共通線ＺＡは画素間の表示に関係ない箇所に設けるので、共通電極５６のように透明である必要はない。
【０１４１】
コンタクト部５８は、導電性の金属からなり、領域５８１において、補助共通線ＺＡと接続され、領域５８２において、絶縁膜６３に設けたコンタクトホールを介して共通電極５６および共通線Ｚに接続されている。
【０１４２】
本実施形態によれば、以下のような効果がある。
（９）１水平ラインごとに分割して設けられた共通電極５６に対応して導電性の金属からなる補助共通線ＺＡを設け、導電性の金属からなるコンタクト部５８を介して、共通電極５６および共通線Ｚと、補助共通線ＺＡと、を接続した。よって、共通電極５６および共通線Ｚの時定数を小さくできる。
【０１４３】
＜変形例＞
なお、本発明は上述の各実施形態に限定されるものではなく、本発明の目的を達成できる範囲での変形、改良等は本発明に含まれるものである。例えば、上述の各実施形態では、３２０行の走査線Ｙと、２４０列のデータ線Ｘと、を備えるものとしたが、これに限らず、例えば、４８０行の走査線Ｙと、６４０列のデータ線Ｘと、を備えてもよい。
【０１４４】
また、上述の各実施形態では、透過型の表示を行うものとしたが、これに限らず、例えば、バックライト４１からの光を利用する透過型表示と、外光の反射光を利用する反射型表示と、を兼ね備えた半透過反射型の表示を行ってもよい。
【０１４５】
また、上述の各実施形態では、ＴＦＴとしてアモルファスシリコンからなるＴＦＴ５１を設けたが、これに限らず、例えば低温ポリシリコンからなるＴＦＴを設けてもよい。
【０１４６】
また、上述の各実施形態では、共通電極５６の上に絶縁膜６４を形成し、この絶縁膜６４の上に画素電極５５を形成したが、これに限らず、例えば、画素電極５５の上に絶縁膜６４を形成し、この絶縁膜６４の上に共通電極５６を形成してもよい。この場合にあっては、第１実施形態において画素電極に設けたスリットは、共通電極に設けることになる。共通電極にスリットを設けると、スリットにより共通電極の面積が小さくなり、抵抗値が上がってしまうので、第３実施形態の補助共通線ＺＡを設けて、共通電極の時定数を下げるとよい。
【０１４７】
また、上述の各実施形態では、液晶がＦＦＳモードで動作するものとしたが、これに限らず、例えばＩＰＳモードで動作するものであってもよい。
【０１４８】
また、上述の各実施形態では、共通電極５６を１水平ラインごとに分割して設けたが、これに限らず、例えば、２水平ラインごとや３水平ラインごとに分割して設けてもよい。
ここで、例えば、共通電極５６を２水平ラインごとに分割して設けた場合には、制御回路３０は、電圧ＶＣＯＭＬと電圧ＶＣＯＭＨとを、各共通電極５６に接続された２つの共通線Ｚごとに、交互に供給する。また、データ線駆動回路２０は、正極性書込と負極性書込とを、共通電極５６に対応する２水平ラインごとに交互に行う。
【０１４９】
＜応用例＞
次に、上述した第１実施形態に係る液晶装置１を適用した電子機器について説明する。
図１１は、液晶装置１を適用した携帯電話機の構成を示す斜視図である。携帯電話機３０００は、複数の操作ボタン３００１およびスクロールボタン３００２、ならびに液晶装置１を備える。スクロールボタン３００２を操作することによって、液晶装置１に表示される画面がスクロールされる。
【０１５０】
なお、液晶装置１が適用される電子機器としては、図１１に示すもののほか、パーソナルコンピュータ、情報携帯端末、デジタルスチルカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器などが挙げられる。そして、これらの各種電子機器の表示部として、前述した液晶装置が適用可能である。
【図面の簡単な説明】
【０１５１】
【図１】本発明の第１実施形態に係る液晶装置のブロック図。
【図２】前記液晶装置が備える画素の拡大平面図。
【図３】前記液晶装置が備える画素の断面図。
【図４】前記液晶装置が備える制御回路のブロック図。
【図５】前記液晶装置が備える制御回路のタイミングチャート。
【図６】前記液晶装置の正極性書込時のタイミングチャート。
【図７】前記液晶装置の負極性書込時のタイミングチャート。
【図８】本発明の第２実施形態に係る制御回路のブロック図。
【図９】前記制御回路のタイミングチャート。
【図１０】本発明の第３実施形態に係る画素の拡大平面図。
【図１１】上述した液晶装置を適用した携帯電話機の構成を示す斜視図。
【図１２】従来例に係る液晶装置の正極性書込時のタイミングチャート。
【図１３】従来例に係る液晶装置の負極性書込時のタイミングチャート。
【符号の説明】
【０１５２】
１，１Ａ…液晶装置、１０…走査線駆動回路、２０…データ線駆動回路、３０，３０Ａ…制御回路、５５…画素電極、５６…共通電極、６０…素子基板（第１基板）、７０…対向基板（第２基板）、３０００…携帯電話機（電子機器）、Ｐ…単位制御回路、Ｑ…ラッチ回路、Ｒ…選択回路、Ｘ…データ線、Ｙ…走査線、Ｚ…共通線、ＺＡ…補助共通線。
【図１】
2008033247.tif 000003
【図２】
2008033247.tif 000004
【図３】
2008033247.tif 000005
【図４】
2008033247.tif 000006
【図５】
2008033247.tif 000007
【図６】
2008033247.tif 000008
【図７】
2008033247.tif 000009
【図８】
2008033247.tif 000010
【図９】
2008033247.tif 000011
【図１０】
2008033247.tif 000012
【図１１】
2008033247.tif 000013
【図１２】
2008033247.tif 000014
【図１３】
2008033247.tif 000015